(57)【要約】【課題】本発明は、シンクライアントでの印刷システム及びシンクライアントでの印刷方法において、シンクライアントにおける印刷出力後の放置や誤った印刷装置での印刷実行に起因する情報漏洩を防止することを目的とする。【解決手段】シンクライアント１１と、シンクライアントからの印刷命令を受け付けるサーバと、サーバからの命令により印刷を行う印刷装置１５と、当該印刷装置に付設又は内蔵されている識別番号入力装置１４を備え、前記サーバは、シンクライアント１１からの印刷命令を受け取った際に識別番号を発行し、当該識別番号を前記シンクライアントで表示し、ユーザが当該識別番号を前記識別番号入力装置１４へ入力した場合、当該印刷装置が前記印刷命令に係わる印刷データを前記サーバから受け取り印刷を開始することで、上記課題を解決する。【選択図】図１
2008165542.tif 000002
【特許請求の範囲】
【請求項１】
シンクライアントと、シンクライアントからの印刷命令を受け付けるサーバと、サーバからの命令により印刷を行う印刷装置と、当該印刷装置に付設又は内蔵されている識別番号入力装置を備える、印刷システムにおいて、
前記サーバは、前記シンクライアントからの印刷命令を受け取った際に識別番号を発行し、当該識別番号を前記シンクライアントで表示し、ユーザが当該識別番号を前記識別番号入力装置へ入力した場合、当該識別番号入力装置を付設又は内蔵する印刷装置が前記印刷命令に係わる印刷データを前記サーバから受け取り印刷を開始する印刷システム。
【請求項２】
請求項１に記載の印刷システムにおいて、前記サーバには、シンクライアントが接続するＰＣとしてのターゲットＰＣ機能と、識別番号を発行し、前記識別番号入力装置から通知される識別番号に応じ前記ターゲットＰＣ機能から送信される印刷データを転送するプリントサーバ機能とを有することを特徴とする印刷システム。
【請求項３】
請求項１に記載の印刷システムにおいて、前記識別番号の前記シンクライアントでの表示は、一定時間経過後消滅することを特徴とする印刷システム。
【請求項４】
請求項１に記載の印刷システムにおいて、前記印刷命令に係わる印刷データは、前記識別番号入力装置での前記識別番号の入力が一定時間内にない場合、消滅することを特徴とする印刷システム。
【請求項５】
サーバが、シンクライアントからの印刷命令を受け付けるステップと、
サーバが、識別番号を発行するステップと、
シンクライアントが、前記識別番号を表示するステップと、
印刷装置に付設又は内蔵されている識別番号入力装置が、前記識別番号の入力を受け付けるステップと、
印刷装置が、前記印刷命令に係わる印刷データをサーバから受け取り、印刷を開始するステップを有する印刷方法。
【発明の詳細な説明】
【技術分野】
【０００１】
本発明は、シンクライアントでの印刷システム及びシンクライアントでの印刷方法に関し、特に、シンクライアントからの印刷出力後の放置や誤った印刷装置での印刷実行に起因する情報漏洩の防止に関する印刷システム及び印刷方法に関する。
【背景技術】
【０００２】
現在の印刷システムでは、ＯＳからの印刷命令実行後、即時に実際の印刷が実行されるため、印刷を実行したユーザと印刷装置の距離が遠い場合、ユーザが印刷装置に到着する前に印刷物が出力され、印刷情報が漏洩する危険性がある。また、複数の印刷装置を利用する環境では、誤って意図しない印刷装置で印刷を行ってしまう可能性がある。さらに、ロケーションフリーのシンクライアント環境から印刷する場合、最寄の印刷装置の選択および設定が非常に煩雑となる。
【０００３】
一方、特許文献１では、印刷データの機密保護を向上すること等を目的とするプリンタ装置及びプリンタシステムが提案されている。
【特許文献１】特開平７−８１１５４号公報
【発明の開示】
【発明が解決しようとする課題】
【０００４】
しかし、特許文献１に記載の発明では、印刷要求時の識別コードが、個人または特定グループに割り振られるＩＤカードのパスワードが必要である。そのため、あらかじめＩＤカードの配布などが必要であり、インフラの準備や管理が煩雑となる。
【０００５】
本発明は、シンクライアントでの印刷システム及びシンクライアントでの印刷方法において、シンクライアントにおける印刷出力後の放置や誤った印刷装置での印刷実行に起因する情報漏洩を防止することを目的とする。
【課題を解決するための手段】
【０００６】
上記目的を達成するため、本発明のシンクライアントでの印刷システムは、シンクライアントと、シンクライアントからの印刷命令を受け付けるサーバと、サーバからの命令により印刷を行う印刷装置と、当該印刷装置に付設又は内蔵されている識別番号入力装置を備え、前記サーバは、前記シンクライアントからの印刷命令を受け取った際に識別番号を発行し、当該識別番号を前記シンクライアントで表示し、ユーザが当該識別番号を前記識別番号入力装置へ入力した場合、当該識別番号入力装置を付設又は内蔵する印刷装置が前記印刷命令に係わる印刷データを前記サーバから受け取り印刷を開始することを特徴とする。
【０００７】
さらに、本発明のシンクライアントでの印刷システムは、前記サーバには、シンクライアントが接続するＰＣとしてのターゲットＰＣ機能と、識別番号を発行し、前記識別番号入力装置から通知される識別番号に応じ前記ターゲットＰＣ機能から送信される印刷データを転送するプリントサーバ機能とを有することを特徴とする。さらに、本発明のシンクライアントでの印刷システムは、前記識別番号の前記シンクライアントでの表示は、一定時間経過後消滅することを特徴とする。さらに、本発明のシンクライアントでの印刷システムは、前記印刷命令に係わる印刷データは、前記識別番号入力装置での前記識別番号の入力が一定時間内にない場合、消滅することを特徴とする。
【０００８】
また、本発明のシンクライアントでの印刷方法は、サーバが、シンクライアントからの印刷命令を受け付けるステップと、サーバが、識別番号を発行するステップと、シンクライアントが、前記識別番号を表示するステップと、印刷装置に付設又は内蔵されている識別番号入力装置が、前記識別番号の入力を受け付けるステップと印刷装置が、前記印刷命令に係わる印刷データをサーバから受け取り、印刷を開始するステップを有する。
【発明の効果】
【０００９】
本発明によれば、シンクライアントでの印刷システム及びシンクライアントでの印刷方法において、シンクライアントにおける印刷出力後の放置や誤った印刷装置での印刷実行に起因する情報漏洩を防止することができる。
【発明を実施するための最良の形態】
【００１０】
本発明を実施するための最良の形態を説明する。
【００１１】
図１は、本発明の一実施形態によるシステム構成図である。第１のフロア１におけるシンクライアント１１は、コンピュータルーム５のターゲットＰＣ１２と接続されている。そして、ターゲットＰＣ１２は、同じくコンピュータルーム５のプリントサーバ１３と接続され、さらにプリントサーバ１３は、第１のフロア１の印刷装置１５と印刷装置１５に内蔵されている識別番号入力装置１４とへ接続されている。ターゲットＰＣ１２は、シンクライアントが接続するコンピュータ本体を指す。
【００１２】
ただし、上記接続は、本発明において、データのやり取りができることができるという意味であるので、有線だけでなく、無線の場合も含まれる。また、識別番号入力装置１４は、印刷装置１５に付設されていてもよく、さらには、当該印刷装置１５の識別番号入力装置と特定できる程度に近設されていてもよい。
【００１３】
コンピュータルーム５は、シンクライアント１１や印刷装置１５のサーバとしての機能を果たすもので、図１のようにターゲットＰＣ１２とプリントサーバ１３は、その機能を果たすならば一つの機器内でも実現可能である。
【００１４】
図１では、シンクライアント１１と印刷装置１５は、一台ずつ示してあるが、現実には、複数台設置しても本発明を実現することができる。
【００１５】
プリントサーバ１３は、印刷スプール受け付け機能、識別番号発行機能、識別番号割当機能、識別番号通知機能、入力識別番号受け付け機能、印刷スプール検索機能、印刷スプール転送機能を有する。識別番号入力装置１４は、識別番号入力受け付け機能、識別番号通知機能、印刷装置番号通知機能を有する。識別番号の発行は、例えば乱数などを利用し行うことが可能である。印刷装置１５は、印刷実行機能を有する。
【００１６】
図２は、本発明の一実施形態によるフローチャートである。以下に本発明の流れについて説明をする。
【００１７】
ユーザ１６は、シンクライアント１１からターゲットＰＣ１２への印刷命令を行う（Ｓ１０１）。すると、ターゲットＰＣ１２は、プリントサーバ１３への印刷スプール（スプール処理による印刷データ）送信を行う（Ｓ１０２）。プリントサーバ１３で、ターゲットＰＣ１２から送信された印刷スプールを受け付けたら（Ｓ１０３）、プリントサーバ１３は、当該印刷スプールに対する識別番号の発行を行う（Ｓ１０４）。次に、プリントサーバ１３は、プリントサーバ１３で発行した識別番号発行を印刷スプールに割当を行う（Ｓ１０５）。さらに、プリントサーバ１３は、プリントサーバ１３からターゲットＰＣ１２へ識別番号の通知を行い（Ｓ１０６）、シンクライアント１１において識別番号の表示を行う。
【００１８】
その後、ユーザ１６がシンクライアント１１から識別番号を確認し（Ｓ１０７）、ユーザ１６が最寄の印刷装置１５まで移動し（Ｓ１０８）、ユーザ１６が識別番号入力装置１４にシンクライアント１１において表示された識別番号の入力する（Ｓ１０９）。
【００１９】
すると、識別番号入力装置１４がプリントサーバ１３へ識別番号と印刷装置番号を通知する（Ｓ１１０）。プリントサーバ１３は、通知された識別番号から対応する印刷スプールを確認する（Ｓ１１１）。次に、プリントサーバ１３は、通知された印刷装置番号を持つ印刷装置１５を確認し（Ｓ１１２）、該当する印刷装置１５へ該当する印刷スプールを転送する（Ｓ１１３）。そして、印刷装置１５が該当する印刷スプールを実行し印刷物を出力する（Ｓ１１４）。最後に、ユーザ１６が出力された印刷物を回収する（Ｓ１１５）。
【００２０】
以上のように、本発明は、印刷命令実行時に発行する識別番号を印刷装置１５にて入力した時点で初めて実際の印刷を実行するシステムである。識別番号入力装置１４に識別番号を入力しなければ印刷が実行されないので、他人に印刷情報を盗まれることなく、印刷物を回収することが可能であり、誤った印刷装置に出力されることもない。さらに、印刷物は、識別番号を入力した識別番号入力装置に係る印刷装置から印刷されるため、印刷実行時は出力する印刷装置を指定する必要がないため、印刷装置設定の手間が省ける。また、印刷実行ミスなどによる無駄な印刷を防止できる。
【００２１】
また、識別番号を信頼できる第三者に通知することで、遠隔地での安全な印刷も実行可能となる。
【００２２】
さらに、識別番号のシンクライアント１１で表示において、一定時間経過後消滅させることが可能である。ここでの一定時間とは、例えは、ユーザが識別番号を確認し、記憶できる程度の通常の時間が上げられる。これにより、ユーザが識別番号をシンクライアント１１で確認した後に、第三者に、識別番号を見られる可能性を低くすることができ、情報漏洩の防止をさらに高めることが可能となる。一方、印刷命令に係わる印刷スプールをプリントサーバが受け取った後、識別番号入力装置１４での識別番号の入力が一定時間内にない場合、印刷命令に係わる印刷データを消滅することが可能である。ここでの一定時間とは、例えば、ユーザがシンクライアント１１での識別番号確認後、識別番号入力装置１４で、識別番号の入力をするまでにかかる通常の時間をこえている時間が上げられる。これにより、情報漏洩の防止をさらに高めることが可能となる。
【図面の簡単な説明】
【００２３】
【図１】本発明の一実施形態によるシステム構成図である。
【図２】本発明の一実施形態によるフローチャートである。
【符号の説明】
【００２４】
１    第１のフロア
２    第２のフロア
３    第３のフロア
５    コンピュータルーム
１１  シンクライアント
１２  ターゲットＰＣ
１３  プリントサーバ
１４  識別番号入力装置
１５  印刷装置
１６  ユーザ
１７  印刷物
【図１】
2008165542.tif 000003
【図２】
2008165542.tif 000004